(57)【要約】【課題】底面の底組みが堅固になされた箱を提供する。【解決手段】側面の一部を構成する第１側面部１０と、第１側面部１０の側縁に連設されると共に第１側面部１０に対して折曲げられて、側面の他の一部を構成する第２側面部２０と、第１側面部１０の下縁に連設されると共に第１側面部１０に対して折曲げられて、底面の一部を構成する第１底面部１１と、第２側面部２０の下縁に連設されると共に第１底面部１１の下側に重ねられるようにして第２側面部２０に対して折曲げられて、第１底面部１１とで底面の底組みを構成する第２底面部２０と、第１底面部１１に設けられた挿入孔１２と、第２底面部２１の下縁から延設され、挿入孔１２に挿入されると共に、第１底面部１１の上面にて第２底面部２１に対して折り返された延設片２２と、第１底面部１１に設けられると共に延設片２２が差し入れられ、延設片２２の折り返しの戻りを防止する切込１３とを備える。【選択図】図２
2005119721.tif 000002
【特許請求の範囲】
【請求項１】
側面の一部を構成する第１側面部と、
該第１側面部の側縁に連設されると共に第１側面部に対して折曲げられて、側面の他の一部を構成する第２側面部と、
前記第１側面部の下縁に連設されると共に第１側面部に対して折曲げられて、底面の一部を構成する第１底面部と、
前記第２側面部の下縁に連設されると共に前記第１底面部の下側に重ねられるようにして第２側面部に対して折曲げられて、第１底面部とで底面の底組みを構成する第２底面部と、
前記第１底面部に設けられた挿入孔と、
前記第２底面部の下縁から延設され、前記挿入孔に挿入されると共に、前記第１底面部の上面にて第２底面部に対して折り返された延設片と、
前記第１底面部に設けられると共に前記延設片が差し入れられ、該延設片の折り返しの戻りを防止する切込と
を備えることを特徴とする箱。
【請求項２】
対向配置された一対の前記第１側面部と、対向配置された一対の前記第２側面部とを備え、各第１側面部と各第２側面部とで方形状の側面が構成されていることを特徴とする請求項１に記載の箱。
【請求項３】
前記延設片は、略方形状に形成されており、前記切込は、前記第１側面部側が前記挿入孔から離間するように挿入孔に沿って傾斜状に形成されると共に、挿入孔側が膨らんだ湾曲状に形成されて、前記延設片の角部が差し入れられる湾曲部、を備えることを特徴とする請求項１または請求項２に記載の箱。
【発明の詳細な説明】
【技術分野】
【０００１】
本発明は、箱に関するものであり、詳しくは、側面を構成する側面部と、この側面部に対して折曲げられて底面を構成する底面部とを備える箱に関するものである。
【背景技術】
【０００２】
側面を構成する側面部と、この側面部に対して折曲げられて底面を構成する底面部とを備える箱としては、種々のものがあるが、中でも、ステープルや粘着テープを用いずに複数の底面部の組付けにより底面の底組みがなされる箱として、例えば図７に示すような箱１００が案出されている。
【０００３】
この箱１００は、側面の一部を構成する第１側面部１１０と、側面の他の一部を構成する第２側面部１２０と、第１側面部１１０の下縁に連設された第１底面部１１１と、第２側面部１２０の下縁に連設された第２底面部１２１とを備えるものであり、第１側面部１１０に対して折曲げられた第１底面部１１１の下側に重なるようにして、第２側面部１２０に対して第２底面部１２１が折曲げられ、第１底面部１１１と第２底面部１２１との相互の組付けによる底組みによって、底面が構成されるものである。具体的に、この箱１００では、第１底面部１１１に設けられたコ字状の切込１１２に、第２底面部１２１の側部に設けられた差込片１２２を差し込むことで、底面の底組みがなされている。
【０００４】
【特許文献１】特許第３０５６７３７号公報
【発明の開示】
【発明が解決しようとする課題】
【０００５】
しかしながら、上記の箱１００は、第１底面部１１１の切込１１２に、第２底面部１２１の差込片１２２が単に差し込まれているだけであることから、底面の中央部分に荷重が加わると、切込１１２から差込片１２２が抜け易いものであり、底組みが堅固なものではなかった。
【０００６】
本発明は、上記実情を鑑みてなされたものであり、底面の底組みが堅固になされた箱の提供を課題とする。
【課題を解決するための手段】
【０００７】
課題を解決するための主な手段は、
「側面の一部を構成する第１側面部と、
該第１側面部の側縁に連設されると共に第１側面部に対して折曲げられて、側面の他の一部を構成する第２側面部と、
前記第１側面部の下縁に連設されると共に第１側面部に対して折曲げられて、底面の一部を構成する第１底面部と、
前記第２側面部の下縁に連設されると共に前記第１底面部の下側に重ねられるようにして第２側面部に対して折曲げられて、第１底面部とで底面の底組みを構成する第２底面部と、
前記第１底面部に設けられた挿入孔と、
前記第２底面部の下縁から延設され、前記挿入孔に挿入されると共に、前記第１底面部の上面にて第２底面部に対して折り返された延設片と、
前記第１底面部に設けられると共に前記延設片が差し入れられ、該延設片の折り返しの戻りを防止する切込と
を備えることを特徴とする箱」
である。
【０００８】
上記構成では、まず、第１底面部の挿入孔に挿入された延設片が、第１底面部の上面にて、第２底面部に対して折り返されているため、挿入孔部分において、第２底面部と延設片との断面が略コ字状となる。よって、延設片は、挿入孔から容易に抜脱されない。そして、折り返された延設片は、切込に差し入れられて、折り返しの戻りが防止されている。このため、箱の底面に荷重が加わったとしても、延設片は、折り返された状態から戻り難く、折り返しが戻らない限り、挿入孔から抜脱することがないことから、第１底面部と第２底面部とは、相互に重なった状態で堅固に維持される。したがって、上記構成の箱によれば、底面の底組みが堅固になされた箱とすることができる。
【０００９】
また、延設片の折り返しの戻りが防止されていることから、延設片は、底面に対して伏臥した状態に維持され、箱の底面から大きく突出することはない。したがって、箱の内部に収容物を収容する際に、延設片が何ら邪魔になることはない、といった利点も得ることができる。
【００１０】
上述した手段において、
「対向配置された一対の前記第１側面部と、対向配置された一対の前記第２側面部とを備え、各第１側面部と各第２側面部とで方形状の側面が構成されていることを特徴とする箱」
としてもよい。
【００１１】
上記構成では、一対の第１底面部と一対の第２底面部とにより方形状の箱の底面が形成されることになるが、各第１底面部と各第２底面部とでなされる底組みは、挿入孔に挿入された延設片の折り返し、及び、折り返された延設片の切込への差し入れによりなされた上述した通りの堅固なものである。したがって、上記構成の箱によれば、底面全体の底組みをより一層、堅固なものとすることができる。
【００１２】
上述した手段において、
「前記延設片は、略方形状に形成されており、前記切込は、前記第１側面部側が前記挿入孔から離間するように挿入孔に沿って傾斜状に形成されると共に、挿入孔側が膨らんだ湾曲状に形成されて、前記延設片の角部が差し入れられる湾曲部、を備えることを特徴とする箱」
としてもよい。
【００１３】
延設片の折り返しの戻りを防止するためには、延設片の一部を切込に差し入れればよい。よって、延設片を略方形状に形成し、この延設片の角部を差し入れるようにするために、切込をＬ字状に形成することが単に考えられる。しかしながら、切込をＬ字状に形成すると、切込に角が存在することから、延設片を差し入れ難くなる。一方、延設片の角部を差し入れ易いようにするためには、切込を、延設片の角部に対して傾斜した直線状に形成することが考えられる。しかしながら、切込を傾斜した直線状に形成すると、切込に差し入れられた延設片の十分な面積が確保できず、延設片の折り返しの戻りを確実に防止できなくなる虞がある。
【００１４】
そこで、上記構成とすると、切込の湾曲部は、挿入孔に沿った傾斜状であるため、湾曲部に角が存在せず、この湾曲部に延設片を差し込み易くなる。しかも、切込の湾曲部は、挿入孔側が膨らんでいることから、湾曲部に差し入れた延設片の面積が十分に確保される。したがって、上記構成の箱によれば、切込に延設片を差し入れ易くすることができ、しかも、延設片の戻りを良好に防止することができる。
【発明の効果】
【００１５】
本発明によれば、底面の底組みが堅固になされた箱の提供を実現できる。
【発明を実施するための最良の形態】
【００１６】
本発明に係る箱の実施形態を、以下に、図面に基づいて説明する。
【００１７】
本例の箱１は、平面状の段ボール等の原紙から図１に示すような所望の形状の紙材を打ち抜き、この紙材を適宜折曲げることにより組立てられたものであり、図２に示すように、側面と、底面と、蓋面とを有する直方体状に形成されたものである。なお、図１における破線は、紙材における谷折りに折り曲げられる部位を示すものである。続いて、側面、底面、蓋面の各構成について、以下に、詳細に説明する。
【００１８】
図１及び図２に示すように、箱１の側面は、対向配置され、側面の一部を構成する一対の第１側面部１０と、第１側面部１０の側縁に連設されると共に、第１側面部１０に対して折曲げられると共に、対向配置されて、側面の他の一部を構成する一対の第２側面部２０とにより構成されている。
【００１９】
具体的には、箱１を構成する紙材の一端側に備えられ、適宜折曲げられて、箱１を構成する紙材の他端側と連結される連結片３０の裏面に、粘着テープが貼設され、または、接着剤等が塗布されており、連結片３０は、連結片３０が備えられている第２側面部２０に対して谷折に折曲げられている。また、連結片３０が備えられた第２側面部２０と、その側方（矢印Ｂ方向）に連設された第１側面部１０と、この第１側面部１０のさらに側方（矢印Ｂ方向）に連設された第２側面部２０とは、夫々その側方（矢印Ｂ方向）の側面部に対して谷折に折曲げられている。これにより、箱１を構成する紙材は、周回状に折曲げられて、箱１を構成する紙材の一端側に備えられた連結片３０の裏面は、箱１を構成する紙材の他端側に備えられた第１側面部１０の、第２側面部２０と連設されていない側の側縁の表面に当接する。連結片３０の裏面には、粘着テープが貼設され、または、接着剤等が塗布されていることから、連結片３０の裏面と第１側面部１０の表面とが連結される。これにより、箱１の直方体状の側面が構成されている。
【００２０】
また、上述のように構成された側面に対して、底面が構成されている。底面は、一対の第１側面部１０の下縁から夫々延設されると共に、第１側面部１０に対して谷折に折曲げられた一対の第１底面部１１と、一対の第２底面部２０の下縁から夫々延設されると共に、第１底面部１１の下側に谷折に折曲げられて折り重ねられた一対の第２底面部２１との相互の組付けによる底組みによって構成されている。したがって、ここまでにおいて、側面と底面とにより構成されている箱１の、側面と底面とにより囲われた内側に、箱内部５０が構成されることとなり、箱内部５０には収容物が収容できる態様となる。
【００２１】
ここで、各第１底面部１１には、中央付近にスリット状の挿入孔１２が、第１側面部１０の下縁と直交方向に設けられ、挿入孔１２を囲むように切込１３が設けられている。切込１３は、挿入孔１２の側方に、湾曲部１３ａを備えている。湾曲部１３ａは、第１側面部１０側が挿入孔１２から離間するように、挿入孔１２に沿って傾斜状に形成されると共に、挿入孔１２側が膨らんだ湾曲状に形成されているものである。また、各第２底面部２１の両端下縁からは、第２底面部２１に対して折曲げ可能に、方形状に形成された延設片２２が延設されている。
【００２２】
延設片２２は、第２底面部２１に対して谷折に折曲げられており、第２底面部２１が第１底面部１１の下側に重ねられるようにして、第２側面部２０に対して折曲げられたことにより、第１底面部１１に設けられた挿入孔１２の下側から挿入されている。挿入孔１２に挿入された延設片２２は、第１底面部１１の上面にて、挿入孔１２に沿って、第２底面部２１に対して、さらに折り返されている。これにより、第１底面部１１と第２底面部２１とは重なり合って相互に組付けられ底組みされて、底面が構成されている。なお、挿入孔１２に挿入され、折り返された延設片２２は、底面に荷重が加わっても折り返しが戻らない限り、挿入孔１２から容易に下側に抜脱されない。
【００２３】
ところで、折り返された延設片２２の角部は、さらに切込１３の湾曲部１３ａに差し入れられている。これにより、延設片２２の折り返しの戻りが防止されている。このため、箱１の底面に荷重が加わったとしても、延設片２２は、折り返された状態から戻り難く、折り返しが戻らない限り、挿入孔１２から抜脱することがないことから、第１底面部１１と第２底面部２１とは、相互に重なった状態で堅固に維持される。このことから、底面の底組みが堅固になされた直方体状の箱１が構成されている。
【００２４】
蓋面は、一対の第１側面部１０の上縁から、夫々、第１側面部１０に対して谷折に折曲げ可能に連設された一対の第１蓋面部１４と、一対の第２側面部２０の上縁から、夫々、第２側面部２０に対して谷折に折曲げ可能に連設された一対の第２蓋面部２３とにより構成されている。なお、各蓋面部１４、２３を谷折に折曲げれば、側面と底面とにより構成される箱内部５０の上方を覆う蓋面となり、開け放てば箱内部５０に収容物の出入りが自在となるものである。
【００２５】
以下、本例における底組みのし方を、図３から図６に基づいて詳細に説明する。
【００２６】
図３は、延設片２２が挿入孔１２に挿入される直前の態様を示すものである。まず、延設片２２を第２底面部２１に対して谷折に折曲げる。続いて、第２底面部２１を、第２側面部２０に対して谷折に折曲げ、第１底面部１１の下側に第２底面部２１を重なり合わせる。これにより、延設片２２が挿入孔１２の下方から挿入される。
【００２７】
図４は、延設片２２が挿入孔１２に挿入された態様を示すものである。上述から、第１底面部１１と第２底面部２１とは重なり合っており、挿入孔１２に挿入されている。続いて、挿入孔１２に挿入されている延設片２２を、スリット状の挿入孔１２の縁に沿って、第１底面部１１の上面にて、第２側面部２０側に向って折り返えす。
【００２８】
図５及び図６は、延設片２２が第１底面部１１の上面にて、第２側面部２０側に向って折り返され、延設片２２の角部が切込１３に差し入れられている態様を示すものである。続いて、折り返された延設片２２の角部を、切込１３に差し入れる。ここで、本例における切込１３は、湾曲部１３ａと、湾曲部１３ａと連結し第１側面部１０と略平行に形成された直線部１３ｂとにより構成されており、延設片２２の角部は、湾曲部１３ａに差し入れられる。
【００２９】
湾曲部１３ａに延設片２２の角部を差し入れるに際しては、延設片２２が折り返された状態にて、第１底面部１１の縁側を上方に引き上げる。これにより、湾曲部１３ａと直線部１３ｂとにより構成されている切込１３の内側と外側とが分離して外側のみが引き上げられる。すると、切込１３の内側と外側との間に間隙が出現し、延設片２２の角部は、折り返された状態のまま、この間隙に差し入れられる。湾曲部１３ａの形状は、前述のように傾斜して形成された湾曲状であることから、延設片２２は、スムーズに間隙に差し入れられる。延設片２２の角部が差し入れられた後は、引き上げていた第１底面部１１の縁側を引き上げ以前の状態へと戻せばよい。これにより、延設片２２の折り返しの戻りが防止される。
【００３０】
以上のようにして、箱１の底組みがなされるが、本例においては、底面は、第１底面部１１と第２底面部２１とを夫々一対備え、一対の第２底面部２１の、夫々の両端下縁からは、延設片２２が延設されている。また、各第２底面部２１は、夫々、対向配置された第２側面部２０に連設されている。このことから、一対の第１底面部１１の、夫々の挿入孔１２に対しては、２つの延設片２２が、対向する方向から挿入されている。本例においては、図１から図５に示すように、各第１底面部１１には、対向する方向から挿入孔１２に差し入れられ、夫々折り返される各延設片２２に対応して、湾曲部１３ａが左右対称に一対設けられており、各湾曲部１３ａに各延設片２２の角部が差し入れられている。
【００３１】
ここで、本例において、湾曲部１３ａ同士は、上述の直線部１３ｂにて連結され、切込１３は、一対の湾曲部１３ａと直線部１３ｂとにより構成されている。各湾曲部１３ａに各延設片２２の角部が差し入れられるに際しては、各延設片２２が折り返された状態にて、第１底面部１１の縁側を上方に引き上げる。これにより、一対の湾曲部１３ａと直線部１３ｂとにより構成されている切込１３の内側と外側とが分離して、外側のみが引き上げられる。すると、切込１３の内側と外側との間に間隙が出現し、各延設片２２の角部は、折り返された状態のまま、この間隙に差し入れられる。延設片２２の角部が差し入れられた後は、引き上げていた第１底面部１１の縁側を引き上げ以前の状態へと戻せばよい。なお、本例の箱１では、切込１３の端部、より具体的には湾曲部１３ａの端部から、第１底面部１１の側縁に渡って、谷折りの折り目１３ｃが設けられており、第１底面部１１における切込１３の外側の部位を、内側に部位に対して円滑に引き上げることができるように構成されている。よって、延設片２２を、切込１３の内側と外側との間に良好に差し入れることができる。
【００３２】
このように、湾曲部１３ａ同士が直線部１３ｂにて連結されることによれば、第１底面部１１の縁側を上方に引き上げる一つの動作で、折り返されていた２つの延設片２２が夫々に対応した湾曲部１３ａに差し入れられることから好適である。ところで、このとき、折り返され、折り返しの戻りが防止された各延設片２２と、各延設片２２を延設している各第２底面部２１との断面は、コ字状となっており、各延設片２２と各第２底面部２１とによって各第１底面部１１を挟み込む態様となっている。なお、図６は、図５のＡ-Ａ断面図である。
【００３３】
ここで、本例の箱内部５０に収容物を収容するに際して、特に重量の重いものを収容する場合は、第１底面部１１と第２底面部２１とが重なり合った部分の上に載置することが好ましい。第１底面部１１と第２底面部２１とが重なり合った部分は、所謂２重底とされ、収容物の重量に抗し易い他、切込１３は第１底面部１１に設けられていることから、第１底面部１１が収容物の重量にて押圧されることによって、切込１３の湾曲部１３ａに差し入れられた延設片２２の折り返しの戻りが一層防止される。したがって、第１底面部１１と第２底面部２１との重なり合いが保たれ続けることから、重量の重いものを収容し、長穴４０に手をかけて、箱１を持ち上げて移動させるに際しても好適である。
【００３４】
こうしたことから、第１底面部１１と第２底面部２１とが重なり合った際に、第２底面部２１が箱内部５０に露呈しないように、第１底面部１１の第１側面部１０から延設する寸法を設定してもよい。これによれば、箱１の底面は、すべての部位において第１底面部１１と第２底面部２１とが重なり合って、所謂２重底とされる。したがって、箱内部５０の、どの部位に収容物を載置しても、収容物の重量に抗し易く、また、第１底面部１１が収容物の重量にて確実に押圧されることから、切込１３の湾曲部１３ａに差し入れられた延設片２２の折り返しの戻りがより一層防止される。このことから、より一層、底面の底組みが堅固になされた直方体状の箱１とすることができ好適である。
【００３５】
なお、挿入孔１２の下側から挿入された延設片２２は、上述したとおり、第１底面部１１の上面にて、第２底面部２１に対して折り返され、折り返しの戻りが防止されていることから、延設片２２は、底面に対して伏臥した状態に維持され、箱の底面から大きく突出することはない。したがって、箱内部５０に収容物を収容する際に、延設片２２が何ら邪魔になることはなく好適である。
【図面の簡単な説明】
【００３６】
【図１】箱を構成する紙材の展開図である。
【図２】本発明に係る箱の一例を示す斜視図である。
【図３】底面の構造を示す斜視図である。
【図４】底面の構造を示す平面図である。
【図５】底面の構造を示す平面図である。
【図６】図５のＡ-Ａ断面図である。
【図７】従来の箱の底面の構造を示す斜視図である。
【符号の説明】
【００３７】
１    箱
１０  第１側面部
１１  第１底面部
１２  挿入孔
１３  切込
１３ａ  湾曲部
１３ｂ  直線部
１３ｃ  折り目  ２０  第２側面部  ２１  第２底面部
２２  延設片
【図１】
2005119721.tif 000003
【図２】
2005119721.tif 000004
【図３】
2005119721.tif 000005
【図４】
2005119721.tif 000006
【図５】
2005119721.tif 000007
【図６】
2005119721.tif 000008
【図７】
2005119721.tif 000009